(57)【要約】  【課題】表示画像の基準階調と対応する階調基準画像データを速やかに選ぶ。  【解決手段】この発明の画像表示装置１は、表示画像であるＤＳＡ画像Ｐの基準階調に対応する階調基準画像データを選定する際、ＤＳＡ画像Ｐにおける関心領域の全画像データを一々チェックしない。ＤＳＡ画像全体に対し予め設定された各分割区画Ｕ毎に予備的に階調基準画像データの候補として選抜して各分割区画Ｕと対応付けて登録してある基準候補画像データから関心領域に対応する分割区画Ｕの基準候補画像データだけを選定候補画像データとして抽出してチェックするだけで階調基準画像データを選ぶ。チェック対象の基準候補画像データは表示する画像の各分割区画Ｕの画像データの中から予備的に選抜されたものであり、関心領域についての画像データの総数に比べ、チェックする基準候補画像データの総数は遥かに少ないので、階調基準画像データの選定の為に必要な画像データの読み出しチェックに時間はかからず、階調基準画像データは速やかに選べる。【選択図】    図１
2005295045.tif 000002
【特許請求の範囲】
【請求項１】
（Ａ）表示画像に対して関心領域を設定する関心領域設定手段と、（Ｂ）表示画像の基準階調に対応する階調基準画像データの候補として、表示画像全体に対して予め設定された複数個の分割区画の画像データの中から、分割区画毎に予備的に選抜された基準候補画像データを各分割区画に対応付けて登録する基準候補画像データ登録手段と、（Ｃ）基準候補画像データ登録手段に登録されている基準候補画像データの中から、表示画像の全分割区画のうち関心領域設定手段で設定された関心領域に対応する分割区画の基準候補画像データを選定候補画像データとして抽出する選定候補画像データ抽出手段と、（Ｄ）選定候補画像データ抽出手段により抽出された選定候補画像データの中から階調基準画像データを選定する階調基準画像データ選定手段と、（Ｅ）階調基準画像データ選定手段で選定された階調基準画像データを基準階調とする階調変換を表示画像の画像データに施す階調変換手段とを備えていることを特徴とする画像表示装置。
【請求項２】
請求項１に記載の画像表示装置において、（Ｆ）表示画像全体に対して予め設定された複数個の分割区画毎に基準候補画像データ登録手段へ登録する基準候補画像データを画像データの読み出し処理を伴わずに選抜する基準候補画像データ選抜手段を階調変換手段の前段に備え、基準候補画像データ選抜手段により選抜される基準候補画像データが基準候補画像データ登録手段に登録される画像表示装置。
【請求項３】
請求項２に記載の画像表示装置において、（Ｇ）階調変換が行なえる状態に整える調整処理を表示画像の各画像データについて行なう画像データ調整処理手段を階調変換手段の前段側に備え、基準候補画像データ選抜手段は、画像データ調整処理手段による調整処理を利用することにより画像データの読み出し処理を伴わずに基準候補画像データの選抜処理を実行する画像表示装置。
【請求項４】
請求項３に記載の画像表示装置において、基準候補画像データ選抜手段の画像データ調整処理手段の調整処理への便乗が、画像データ調整処理手段によって調整処理による階調変換が行なえる状態に整えられた段階の画像データを基準候補画像データ選抜手段が直接用いることによりなされる画像表示装置。
【請求項５】
請求項１から４のいずれかに記載の画像表示装置において、基準候補画像データ選抜手段が分割区画についての画像データの中の最大値と最小値の画像データを基準候補画像データとして予備的に選抜し、階調基準画像データ選定手段が選定候補画像データ抽出手段により抽出された選定候補画像データの中の最大値と最小値の画像データを階調基準画像データとして選定する画像表示装置。
【請求項６】
請求項１から５のいずれかに記載の画像表示装置において、関心領域設定手段が、表示する１枚の画像に対して複数個の関心領域を設定できると共に、関心領域設定手段で複数の関心領域が設定された時は、選定候補画像データ抽出手段が複数の関心領域に対応する全ての分割区画の基準候補画像データを選定候補画像データとして抽出する画像表示装置。
【発明の詳細な説明】
【技術分野】
【０００１】
この発明は、表示画像の中から特定の画像データを、表示画像の基準階調（基準濃度）に対応する階調基準画像データとして選定すると共に、選定された階調基準画像データを基準階調とする階調変換（表示濃度調整）を、表示画像の画像データに施す画像表示装置に係り、特に表示画像の基準階調に対応する階調基準画像データを選定するための技術に関する。
【背景技術】
【０００２】
病院等の医療機関で使用されているＸ線撮像装置に組み込まれた画像表示装置の場合、表示画像であるＸ線画像に対して予め設定された関心領域についての画像データの中から、Ｘ線画像の基準階調に対応する階調基準画像データを選定すると共に、選定された階調基準画像データを基準階調とする階調変換を、Ｘ線画像の画像データに対して施すことにより、Ｘ線画像を適正コントラストで表示している。
【０００３】
従来の画像表示装置における画像データの階調変換の場合、例えば、表示画像に対して予め設定された関心領域の中の画像データのうち最大値と最小値を階調基準画像データとして選定し、図１１に示すように、最大値ＭＸの画像データを最高輝度階調レベル（真っ白濃度）ＨＢとし、最小値ＭＵの画像データを最低輝度階調レベル（真っ黒濃度）ＬＢとすると共に、最大値ＭＸと最小値ＭＵの間の画像データに対してはデータ値に比例して最高輝度階調レベルＨＢと最低輝度階調レベルＬＢの間の濃度が比例するようにして割り当てられる。これにより、最終的な画像は、最大値ＭＸの画像データに対応する画素が最も明るく表示され、最小値ＭＵの画像データに対応する画素が最も暗く表示され、最大値ＭＸと最小値ＭＵの間の画像データに対応する画素はデータ値に比例した濃さで表示される結果、画像は適正コントラストで表示される（例えば特許文献１参照。）。
【特許文献１】特開２０００−７９１１０号公報（第７頁，図６および図７）
【発明の開示】
【発明が解決しようとする課題】
【０００４】
しかしながら、上記の従来の画像表示装置は、表示画像の基準階調に対応する階調基準画像データを選定するのに時間がかかるという問題がある。
【０００５】
表示画像に対して予め設定された関心領域についての画像データは、関心領域が部分的であってもデータの総数としては相当な量であり、画像データを画像信号メモリから読み出しチェックするのに時間がかかってしまう。表示画像に設定される関心領域は複数個であることも日常的であり、関心領域が複数個ある場合は階調基準画像データを選定するのにより長い時間がかかることになる。
【０００６】
この発明は、このような事情に鑑みてなされたものであって、表示画像の基準階調に対応する階調基準画像データを速やかに選定することができる画像表示装置を提供することを目的とする。
【課題を解決するための手段】
【０００７】
この発明は、このような目的を達成するために、次のような構成をとる。
【０００８】
すなわち、請求項１に記載の発明に係る画像表示装置は、（Ａ）表示画像に対して関心領域を設定する関心領域設定手段と、（Ｂ）表示画像の基準階調に対応する階調基準画像データの候補として、表示画像全体に対して予め設定された複数個の分割区画の画像データの中から、分割区画毎に予備的に選抜された基準候補画像データを各分割区画に対応付けて登録する基準候補画像データ登録手段と、（Ｃ）基準候補画像データ登録手段に登録されている基準候補画像データの中から、表示画像の全分割区画のうち関心領域設定手段で設定された関心領域に対応する分割区画の基準候補画像データを選定候補画像データとして抽出する選定候補画像データ抽出手段と、（Ｄ）選定候補画像データ抽出手段により抽出された選定候補画像データの中から階調基準画像データを選定する階調基準画像データ選定手段と、（Ｅ）階調基準画像データ選定手段で選定された階調基準画像データを基準階調とする階調変換を表示画像の画像データに施す階調変換手段とを備えていることを特徴とするものである。
【０００９】
［作用・効果］請求項１の発明の画像表示装置では、表示画像の基準階調に対応する階調基準画像データが次のようなプロセスを経て選定される。先ず、関心領域設定手段で表示画像に対して関心領域が設定されると共に、表示画像全体に対して予め設定された複数個の各分割区画毎に表示画像の基準階調に対応する階調基準画像データの候補として各分割区画の画像データの中から予備的に選抜された基準候補画像データが基準候補画像データ登録手段で各分割区画に対応付られて登録される。次に、基準候補画像データ登録手段に登録されている基準候補画像データの中から関心領域設定手段で設定された関心領域に対応する分割区画の基準候補画像データだけが選定候補画像データ抽出手段により選定候補画像データとして抽出される。さらに、選定候補画像データ抽出手段で抽出された選定候補画像データの中から階調基準画像データが階調基準画像データ選定手段によって選定される。
【００１０】
即ち、請求項１の発明の画像表示装置の場合、表示画像の基準階調に対応する階調基準画像データを選定する際に表示画像における関心領域についての全ての画像データを一々チェックすることはしない。表示画像全体に対して予め設定された複数個の分割区画毎に予備的に階調基準画像データの候補として選抜し各分割区画と対応付けて登録してある基準候補画像データのうち関心領域に対応する分割区画の基準候補画像データを選定候補画像データとして抽出してチェックするだけで階調基準画像データを選定する。チェック対象の基準候補画像データは表示画像の各分割区画の画像データの中から予備的に選抜されたものであり、関心領域についての画像データの総数に比べ、チェックする基準候補画像データの総数は遥かに少ないので、階調基準画像データの選定の為に必要な画像データを読み出しチェックするのに時間はかからない。
【００１１】
また、請求項２に記載の発明は、請求項１に記載の画像表示装置において、（Ｆ）表示画像全体に対して予め設定された複数個の分割区画毎に基準候補画像データ登録手段へ登録する基準候補画像データを画像データの読み出し処理を伴わずに選抜する基準候補画像データ選抜手段を階調変換手段の前段に備え、基準候補画像データ選抜手段により選抜される基準候補画像データが基準候補画像データ登録手段に登録されるものである。
【００１２】
［作用・効果］請求項２の発明の画像表示装置の場合、階調変換手段の前段側に備えている基準候補画像データ選抜手段により、基準候補画像データが画像データの読み出し処理を伴わずに選抜されて基準候補画像データ登録手段で登録される構成であるので、装置自らが、階調基準画像データの速やかな選定を妨げることなく、登録する基準候補画像データの予備的な選抜を行なうことができる。
【００１３】
また、請求項３に記載の発明は、請求項２に記載の画像表示装置において、（Ｇ）階調変換が行なえる状態に整える調整処理を表示画像の各画像データについて行なう画像データ調整処理手段を階調変換手段の前段側に備え、基準候補画像データ選抜手段は、画像データ調整処理手段による調整処理を利用することにより画像データの読み出し処理を伴わずに基準候補画像データの選抜処理を実行するものである。
【００１４】
［作用・効果］請求項３の発明の画像表示装置の場合、基準候補画像データ選抜手段は、階調変換手段の前段側の画像データ調整処理手段が、表示画像の各画像データについて階調変換が行なえる状態に整える調整処理を行なうのを利用することによって、画像データの読み出し処理を伴わない基準候補画像データの選抜処理を容易に実行することができる。
【００１５】
また、請求項４に記載の発明は、請求項３に記載の画像表示装置において、基準候補画像データ選抜手段の画像データ調整処理手段の調整処理への便乗が、画像データ調整処理手段によって調整処理による階調変換が行なえる状態に整えられた段階の画像データを基準候補画像データ選抜手段が直接用いることによりなされるものである。
【００１６】
［作用・効果］請求項４の発明の画像表示装置の場合、基準候補画像データ選抜手段は、画像データ調整処理手段によって調整処理による階調変換が行なえる状態に整えられた段階の画像データを基準候補画像データの選抜に直接用いることにより、簡単に画像データ調整処理手段の調整処理を利用することができる。
【００１７】
また、請求項５に記載の発明は、請求項１から４のいずれかに記載の画像表示装置において、基準候補画像データ選抜手段が分割区画についての画像データの中の最大値と最小値の画像データを基準候補画像データとして予備的に選抜し、階調基準画像データ選定手段が選定候補画像データ抽出手段により抽出された選定候補画像データの中の最大値と最小値の画像データを階調基準画像データとして選定するものである。
【００１８】
［作用・効果］請求項５の発明の画像表示装置の場合、基準候補画像データ選抜手段が予備的に選抜する基準候補画像データは、分割区画についての画像データの中の最大値と最小値の画像データであり、階調基準画像データ選定手段が選定する階調基準画像データは、選定候補画像データ抽出手段により抽出された選定候補画像データの中の最大値と最小値の画像データであり、階調基準画像データは、実質的に関心領域の画像データの中の最大値と最小値の画像データが選定されるので、画像データの階調変換は実質的に関心領域の画像データの中の最大値と最小値の画像データに基づいて行なわれる。
【００１９】
また、請求項６に記載の発明は、請求項１から５のいずれかに記載の画像表示装置において、関心領域設定手段が、表示する１枚の画像に対して複数個の関心領域を設定できると共に、関心領域設定手段で複数の関心領域が設定された時は、選定候補画像データ抽出手段が複数の関心領域に対応する全ての分割区画の基準候補画像データを選定候補画像データとして抽出するものである。
【００２０】
［作用・効果］請求項６の発明の画像表示装置の場合、表示画像に対し関心領域設定手段で複数の関心領域が設定された場合、選定候補画像データ抽出手段は複数の関心領域に対応する全ての分割区画の基準候補画像データを選定候補画像データとして抽出するので、階調基準画像データが存在する可能性のある領域を漏れなく関心領域として設定することにより的確な階調基準画像データの選定が行なえる。
【発明の効果】
【００２１】
この発明の画像表示装置の場合、表示画像の基準階調に対応する階調基準画像データを選定する際に表示画像における関心領域についての全ての画像データを一々チェックすることはしない。表示画像全体に対して予め設定された複数個の分割区画毎に予備的に階調基準画像データの候補として選抜し各分割区画に対応付けて登録してある基準候補画像データのうち関心領域に対応する分割区画の基準候補画像データを選定候補画像データとして抽出してチェックするだけで階調基準画像データを選定する。チェック対象の基準候補画像データは表示画像の各分割区画の画像データの中から予備的に選抜されたものであり、関心領域についての画像データの総数に比べ、チェックする基準候補画像データの総数は遥かに少ないので、階調基準画像データの選定の為に必要な画像データを読み出しチェックするのに時間はかからない。
【００２２】
よって、この発明の画像表示装置によれば、表示画像の基準階調に対応する階調基準画像データを速やかに選定することができる。
【実施例】
【００２３】
この発明の実施例を図面を参照して説明する。図１はこの発明の実施例に係る画像表示装置が組み込まれたＤＳＡ（デジタル  サブトラクション  アンギオグラフィ)式のＸ線撮影装置の構成を示すブロック図である。
【００２４】
図１のＸ線撮影装置は、被検体ＭにＸ線を照射するＸ線管ＸＡと、被検体Ｍの透過Ｘ線像を検出する２次元Ｘ線検出器ＸＤとからなるＸ線撮像系を備え、Ｘ線管ＸＡが照射制御部Ｘａが行なう制御にしたがって被検体ＭにＸ線を照射するのに伴って、２次元Ｘ線検出器ＸＤがＸ線照射により生じた透過Ｘ線像を検出してＸ線検出信号を表示するＤＳＡ画像の画像データとして出力する。２次元Ｘ線検出器ＸＤとしては、フラットパネル型タイプのＸ線検出器や、イメージインテンシファイアタイプのＸ線検出器などが用いられる。そして、図１のＸ線撮影装置の場合、２次元Ｘ線検出器ＸＤの後段に設けられた（図１中に点線で囲んで示した）画像表示装置１により２次元Ｘ線検出器ＸＤから出力される画像データとしてのＸ線検出信号に基づいてＤＳＡ画像が表示される。
【００２５】
画像表示装置１は、２次元Ｘ線検出器ＸＤから出力されてくる画像データとしてのＸ線検出信号に対して階調変換が行なえる状態に整える調整処理を行なう画像データ調整処理部２と、画像データ調整処理部２により階調変換が施せる状態に整えられた画像データを記憶する画像データメモリ３と、画像データメモリ３に記憶されている画像データに階調変換を施す階調変換部４と、階調変換部４による階調処理で取得されたＤＳＡ画像を記憶するＤＳＡ画像メモリ５と、取得されたＤＳＡ画像や入力操作用メニューなどを表示する表示用モニタ６を備えている。
【００２６】
画像データ調整処理部２は、図２に示すように、マスク画像信号メモリ２Ａおよびライブ画像信号メモリ２Ｂと画像サブトラクション部２Ｃを備えているのに加え、信号ベース分調整部２Ｄと調整済データ一時保持レジスタ２Ｅを備えていて、マスク画像とライブ画像の差分画像の画像データが求められる構成とされている。差分画像として、例えば血管造影ＤＳＡ画像を取得する場合、造影剤投入前のマスク画像を先に撮像してマスク画像信号メモリ２Ａに記憶してから、次に造影剤投入後のライブ画像を撮像してライブ画像信号メモリ２Ｂに記憶し、画像サブトラクション部２Ｃでマスク画像とライブ画像の同一画素の画像データ同士を差し引きする演算を行なってから、更に信号ベース分調整部２Ｄで適当量のベース分を一律に加えてから調整済データ一時保持レジスタ２Ｅへ納める調整処理が各画像データについて繰り返し行なわれる。血管造影ＤＳＡの場合、最終的に表示画像には血管だけが映し出されることになる。
【００２７】
その結果、画像データは、調整済データ一時保持レジスタ２Ｅに納められた時にはＤＳＡ画像用に調整されて階調変換が行なえる状態に整えられた段階にあり、調整済データ一時保持レジスタ２Ｅに納められた調整済みの画像データは、逐次速やかに画像データメモリ３へ送り込まれる。
【００２８】
なお、表示するＤＳＡ画像Ｐは、図３に示すように、縦Ｎ行・横Ｍ列の２次元マトリックスで配置されたＮ×Ｍ個の画素Ｐａで構成され、各画素Ｐａ毎に１個の画像データが対応する。縦Ｎ行・横Ｍ列のマトリックスの規模としては、検出器のタイプによっても異なるが、例えば数千〜数万×数千〜数万のものが挙げられる。
【００２９】
一方、画像表示装置１は、表示画像であるＤＳＡ画像Ｐに対して１個ないし複数個の関心領域を設定する関心領域設定部７を備えている。即ち、関心領域設定部７の場合、キーボードやマウス等の入力操作機器で構成される操作部８の操作によって、図４に示すように、ＤＳＡ画像Ｐに対して１個の関心領域Ｒａを設定するだけでなく、図５に示すように、ＤＳＡ画像Ｐに対して例えば３個の関心領域Ｒａ〜Ｒｃを設定することもできる。
【００３０】
他方、階調変換部４は、関心領域設定部７で設定された関心領域の中の画像データから選定された階調基準画像データを基準階調とする階調変換をＤＳＡ画像Ｐの画像データに対して施す。
【００３１】
さらに、画像表示装置１は、以下に詳述するように、ＤＳＡ画像Ｐの基準階調に対応する階調基準画像データを速やかに選定する為の構成を備えている。
【００３２】
画像表示装置１の場合、先ず、図６に示すように、ＤＳＡ画像Ｐの全体に対して予め設定された幾つもの分割区画Ｕ毎に、ＤＳＡ画像Ｐの基準階調に対応する階調基準画像データの候補としての基準候補画像データを各分割区画Ｕの画像データの中から画像データメモリ３からの画像データの読み出し処理を伴わずに選抜する基準候補画像データ選抜部９を階調変換部４の前段側に備えていると共に、基準候補画像データ選抜部９により予備的に選抜された基準候補画像データを各分割区画Ｕに対応付けて登録する基準候補画像データメモリ１０を備えている。
【００３３】
即ち、ＤＳＡ画像Ｐに対して設定される分割区画Ｕの場合、図６に示すように、ＤＳＡ画像Ｐの全体を縦横に仕切ることにより分割区画Ｕの設定がなされており、図７に示すように、各分割区画Ｕには縦ｎ行・横ｍ列のミニマトリックス配置のｎ×ｍ個の画素Ｐａがそれぞれ含まれていて、基準候補画像データ選抜部９は各分割区画Ｕ毎にｎ×ｍ個の画素Ｐａに対応するｎ×ｍ個の画像データの中から基準候補画像データを選抜する。
【００３４】
具体的には、基準候補画像データ選抜部９は、ｎ×ｍ個の画像データの中から最大値（最大ピクセル値）と最小値（最小ピクセル値）の二つの画像データを基準候補画像データとして分割区画Ｕ毎に選抜する。
【００３５】
したがって、基準候補画像データメモリ１０は分割区画Ｕ毎に最大値と最小値の二つの画像データを基準候補画像データとして登録することになる。
【００３６】
基準候補画像データ選抜部９の場合、具体的には、次の基準候補画像データの選抜プロセスが各分割区画Ｕ毎に繰り返し行なわれる。
【００３７】
基準候補画像データ選抜部９は、図８に示すように、最大値保持レジスタ９Ａおよび最小値保持レジスタ９Ｂと最大値選抜用比較部９ａおよび最小値選抜用比較部９ｂを備えていて、最初は最大値保持レジスタ９Ａがレジスタの保持可能な値の中の下限値を保持し、最小値保持レジスタ９Ｂがレジスタの保持可能な値の中の上限値を保持している。
【００３８】
そして、最大値選抜用比較部９ａが送り込まれる画像データと最大値保持レジスタ９Ａが保持しているデータの大小比較を行なって、送り込まれた画像データの方が大きい場合には、最大値保持レジスタ９Ａのデータが送り込まれた画像データに置き換えられる。
【００３９】
また、最小値選抜用比較部９ｂが送り込まれる画像データと最小値保持レジスタ９Ｂが保持しているデータの大小比較を行なって、送り込まれた画像データの方が小さい場合には、最小値保持レジスタ９Ｂのデータが送り込まれた画像データに置き換えられる。
【００４０】
１個の分割区画Ｕのｎ×ｍ個の画像データの処理が終わった段階で最大値保持レジスタ９Ａが保持しているデータが最大値の画像データであり、最小値保持レジスタ９Ｂが保持しているデータが最小値の画像データである。
【００４１】
また、基準候補画像データ選抜部９は、階調変換部４の前段側に備えられている画像データ調整処理部２による調整処理を利用することで基準候補画像データの選抜を画像データの読み出し処理を伴わずに実行する。即ち、基準候補画像データ選抜部９の場合、画像データ調整処理部２で調整処理により階調変換が行なえる状態に整えられた段階の画像データを直接用いることによって、基準候補画像データ選抜部９が画像データ調整処理部２の調整処理を利用する構成とされている。具体的には、調整済データ一時保持レジスタ２Ｅに納められた調整済みの画像データが、逐次速やかに基準候補画像データ選抜部９へも送り込まれて基準候補画像データの選抜に用いられる構成となっている。
【００４２】
さらに、画像表示装置１は、基準候補画像データメモリ１０に登録されている基準候補画像データの中から表示画像の全分割区画Ｕのうち関心領域設定部７で設定された関心領域に対応する分割区画Ｕの基準候補画像データを選定候補画像データとして抽出する選定候補画像データ抽出部１１と、選定候補画像データ抽出部１１により抽出された選定候補画像データの中から階調基準画像データを選定する階調基準画像データ選定部１２を備えている。
【００４３】
選定候補画像データ抽出部１１は、関心領域の中に全部または一部が入っている分割区画Ｕの基準候補画像データを全て選定候補画像データとして抽出する。例えば、図５に示すように、３個の関心領域Ｒａ〜Ｒｃが設定された場合、図９に斜線を引いて示すように、関心領域Ｒａの中に全部が入っている６個の分割区画Ｕと、関心領域Ｒｂの中に全部が入っている６個の分割区画Ｕと、関心領域Ｒｃの中に全部が入っている１個の分割区画Ｕおよび一部が入っている３個の分割区画Ｕの合計１６個の分割区画Ｕについて登録されている基準候補画像データである１６個の最大値の画像データと１６個の最小値の画像データとが選定候補画像データ抽出部１１によって選定候補画像データとして抽出される。
【００４４】
階調基準画像データ選定部１２は、階調基準画像データとして、抽出された選定候補画像データの中の最大値と最小値の画像データを選定する。即ち、１６個の最大値の画像データの中の最大のものと、１６個の最小値の画像データの中の最小のものが、階調基準画像データ選定部１２によって階調基準画像データとして選定される。
【００４５】
そして、階調変換部４は、階調基準画像データ選定部１２によって選定された階調基準画像データを基準階調とする階調変換をＤＳＡ画像Ｐの全画像データに対して施す。つまり、画像表示装置１の場合、階調変換部４により、実質的に関心領域の画像データの中の最大値と最小値の画像データに基づいて画像データの階調変換が行なわれる。
【００４６】
階調変換部４の場合、図１１に示すように、最大値ＭＸの画像データを最高輝度階調レベル（真っ白濃度）ＨＢとし、最小値ＭＵの画像データを最低輝度階調レベル（真っ黒濃度）ＬＢとすると共に、最大値ＭＸと最小値ＭＵの間の画像データにはデータ値に比例して最高輝度階調レベルＨＢと最低輝度階調レベルＬＢの間の濃度が比例するようにして割り当てられる。これにより、最終的な画像は、最大値ＭＸの画像データに対応する画素が最も明るく表示され、最小値ＭＵの画像データに対応する画素が最も暗く表示され、最大値ＭＸと最小値ＭＵの間の画像データに対応する画素はデータ値に比例した濃さで表示される結果、ＤＳＡ画像Ｐは適正なコントラストで表示用モニタ６の画面に映し出されることになる。
【００４７】
また、主制御部１３は、画像表示装置１に加え、Ｘ線管ＸＡと２次元Ｘ線検出器ＸＤからなるＸ線撮像系を操作部８の入力操作や撮影プロセスの進行に応じて適切にコントロールすることで装置全体の稼働を司る役割を果たす。
【００４８】
更に、表示画像に対して設定される分割区画Ｕの数は、特定の数に限られるものではないが、分割区画Ｕの数が多過ぎると、基準候補画像データの数が多くなって基準候補画像データの予備選抜効果が薄れる傾向が出てくる。逆に分割区画Ｕの数が少な過ぎると、関心領域と分割区画が的確に対応しなくなり、関心領域から外れた位置の画像データが階調基準画像データとして選定される可能性が強くなる。表示画像が医用画像の場合であれば、分割区画Ｕの数は、１６×１６個〜１２８×１２８個といった程度が好ましい。
【００４９】
なお、画像表示装置１を、ＤＳＡ画像Ｐについての分割区画Ｕの数が操作部８による入力操作によって変更できる構成としてもよい。
【００５０】
加えて、画像表示装置１を、表示画像に対して設定される分割区画の仕切り方についても操作部８の入力操作により調整できる構成としてもよい。
【００５１】
続いて、上述した構成を有する画像表示装置１において、ＤＳＡ画像Ｐの基準階調に対応する階調基準画像データを選定するプロセスを図面を参照しながら説明する。図１０は画像表示装置１でＤＳＡ画像Ｐの基準階調に対応する階調基準画像データの選定プロセスを示すフローチャートである。
【００５２】
〔ステップＳ１〕オペレータ等により操作部８で行なう関心領域設定の為の設定操作にしたがって、関心領域設定部７により表示するＤＳＡ画像Ｐに対して関心領域が１個または複数個設定される。
【００５３】
〔ステップＳ２〕画像データ調整処理部２が、２次元Ｘ線検出器ＸＤから出力される画像データとしてのＸ線検出信号を調整処理して、階調変換が施せる状態に整える。
【００５４】
〔ステップＳ３〕基準候補画像データ選抜部９が、画像データ調整処理部２で階調変換が施せる状態に整えられた段階の画像データを用いて分割区画Ｕ毎の基準候補画像データとしての最大値と最小値の画像データを選抜する。
【００５５】
〔ステップＳ４〕基準候補画像データメモリ１０が分割区画Ｕ毎の最大値と最小値の二つの画像データを基準候補画像データとして各分割区画Ｕに対応付けして登録する。
【００５６】
〔ステップＳ５〕基準候補画像データの選抜・登録が未了の分割区画が残っていれば、ステップＳ３に戻り、基準候補画像データの選抜・登録が未了の分割区画が残っていなければ、ステップＳ６へ進む。
【００５７】
〔ステップＳ６〕選定候補画像データ抽出部１１が、関心領域設定部７で設定された関心領域に対応する分割区画Ｕの基準候補画像データを全て選定候補画像データとして抽出する。
【００５８】
〔ステップＳ７〕階調基準画像データ選定部１２が、抽出された選定候補画像データの中から表示するＤＳＡ画像Ｐの基準階調に対応する階調基準画像データとして最大値と最小値の画像データを選定する。
【００５９】
以上に述べた構成を有する実施例に係る画像表示装置１の場合、ＤＳＡ画像Ｐの基準階調に対応する階調基準画像データを選定する際に、ＤＳＡ画像Ｐにおける関心領域についての全ての画像データを一々チェックすることはしない。即ち、表示画像全体に対して予め設定された複数個の分割区画Ｕ毎に予備的に階調基準画像データの候補として選抜し各分割区画Ｕに対応付けて登録してある基準候補画像データのうち関心領域に対応する分割区画Ｕの基準候補画像データだけを選定候補画像データとして抽出してチェックするだけで階調基準画像データを選定する。チェック対象の基準候補画像データは表示画像の各分割区画Ｕの画像データの中から予備的に選抜されたものであり、関心領域についての画像データの総数に比べ、チェックする基準候補画像データの総数は遥かに少ないので、階調基準画像データの選定の為に必要な画像データを読み出しチェックするのに時間はかからない。
【００６０】
よって、実施例に係る画像表示装置１によれば、ＤＳＡ画像Ｐの基準階調に対応する階調基準画像データを速やかに選定できる。
【００６１】
また、画像表示装置１の場合、階調変換部４の前段側に備えている基準候補画像データ選抜部９により、基準候補画像データが選抜されて基準候補画像データメモリ１０で登録される構成であるので、装置自らが、階調基準画像データの速やかな選定を妨げることなく、登録する基準候補画像データの予備的な選抜を行なうことができる。
【００６２】
さらに、画像表示装置１の場合、基準候補画像データ選抜部９は、階調変換部４の前段側の画像データ調整処理部２が、表示画像の各画像データについて階調変換が行なえる状態に整える調整処理を利用することによって、画像データの読み出し処理を伴わない基準候補画像データの選抜処理を容易に実行できるうえに、基準候補画像データ選抜部９は、画像データ調整処理部２によって調整処理による階調変換が行なえる状態に整えられた段階の画像データを基準候補画像データの選抜に直接用いることにより、簡単に画像データ調整処理部２の調整処理を利用することができる。
【００６３】
加えて、画像表示装置１の場合、ＤＳＡ画像Ｐに対し関心領域設定部７で複数の関心領域が設定された場合、選定候補画像データ抽出部１１によって複数の関心領域に対応する全ての分割区画Ｕの基準候補画像データを選定候補画像データとして抽出されるので、階調基準画像データが存在する可能性のある領域を漏れなく関心領域として設定することにより的確な階調基準画像データの選定が行なえる。
【００６４】
この発明は、上記の実施例に限られるものではなく、以下のように変形実施することも可能である。
【００６５】
（１）実施例に係る画像表示装置１の場合、階調基準画像データが最大値と最小値の画像データであったが、階調基準画像データは最大値と最小値の画像データに限られるものではなく、例えば階調基準画像データは最頻値の画像データとするなど頻度を目安として選ばれたものであってもよい。
【００６６】
（２）実施例に係る画像表示装置１はＸ線撮影装置に組み込まれていて、画像データや基準候補画像データをリアルタイムで取得する構成であったが、画像表示装置１はＸ線撮影装置に組み込まれていない単独タイプの装置であって、予め別途に他の装置で階調変換が行なえる状態に整えられた画像データや予め別途に他の装置で予備選抜された基準候補画像データに基づいて画像を表示する構成であってもよい。このようなオフタイムで取得された画像データや基準候補画像データのみを用いて画像を表示する場合であれば、画像データ調整処理部２や基準候補画像データ選抜部９を備えている必要はない。
【００６７】
（３）実施例に係る画像表示装置１では、関心領域は方形であったが、関心領域は方形に限定されるものではない。関心領域は、例えば三角形や真円や楕円形のような形状であってもよい。
【００６８】
（４）実施例に係る画像表示装置１では、表示画像に対して設定する分割区画が正方形であったが、分割区画は正方形に限定されるものではない。分割区画は、例えば、三角形や長方形であってもよい。
【００６９】
（５）実施例の画像表示装置１は医用画像を表示する構成であったが、この発明の画像表示装置が表示の対象とする画像は、医用画像に限られるものではない。
【図面の簡単な説明】
【００７０】
【図１】実施例に係る画像表示装置が組み込まれたＤＳＡ式Ｘ線撮影装置の構成を示すブロック図である。
【図２】実施例の画像表示装置の画像データ調整処理部の構成を示すブロック図である。
【図３】実施例の画像表示装置で表示画像の画素マトリックスを示す模式図である。
【図４】実施例の画像表示装置で表示画像の関心領域の設定例を示す模式図である。
【図５】実施例の画像表示装置で表示画像の関心領域の他の設定例を示す模式図である。
【図６】実施例の画像表示装置での画像に対する分割区画の設定状況を示す模式図である。
【図７】実施例の画像表示装置で表示画像に設定された分割区画における画素マトリックスを示す模式図である。
【図８】実施例の画像表示装置の基準候補画像データ選抜部の構成を示すブロック図である。
【図９】実施例の画像表示装置で表示画像の関心領域と分割区画の対応状況を示す模式図である。
【図１０】実施例の画像表示装置における階調基準画像データの選定プロセスを示すフローチャートである。
【図１１】画像データに施す階調変換の変換特性を示すグラフである。
【符号の説明】
【００７１】
１            …  画像表示装置
２            …  画像データ調整処理部（画像データ調整処理手段）
４            …  階調変換部（階調変換手段）
７            …  関心領域設定部（関心領域設定手段）
９            …  基準候補画像データ選抜部（基準候補画像データ選抜手段）
１０          …  基準候補画像データメモリ（基準候補画像データ登録手段）
１１          …  選定候補画像データ抽出部（選定候補画像データ抽出手段）
１２          …  階調基準画像データ選定部（階調基準画像データ選定手段）
Ｐ            …  ＤＳＡ画像（画像）
Ｒａ〜Ｒｃ    …  関心領域
Ｕ            …  分割区画
【図１】
2005295045.tif 000003
【図２】
2005295045.tif 000004
【図３】
2005295045.tif 000005
【図４】
2005295045.tif 000006
【図５】
2005295045.tif 000007
【図６】
2005295045.tif 000008
【図７】
2005295045.tif 000009
【図８】
2005295045.tif 000010
【図９】
2005295045.tif 000011
【図１０】
2005295045.tif 000012
【図１１】
2005295045.tif 000013